(57)【特許請求の範囲】
【請求項１】
防水シートが床側から壁に沿って立ち上がるように設置される防水シートの設置方法において、
床側の防水シートと、壁に沿う立ち上がり側の防水シートとに分割された防水シートを用い、
前記立ち上がり側の防水シートの上側を、前記床側の床面よりも上方の高さ位置において壁の正面側に開口するスリット状開口部を通じ、外壁面材の背面側である壁の内部に下から上へと差し込んでその上端高さ位置を防水高さ位置とするように上方に延ばした状態にした後、壁の外に導出している下側を床側の防水シートとシール状態に接合することを特徴とする防水シートの設置方法。
【請求項２】
前記床側の防水シートと、立ち上がり側の防水シートとが互いに同じ材質のものからなっている請求項１に記載の防水シートの設置方法。
【発明の詳細な説明】
【０００１】
【発明の属する技術分野】
本発明は、防水シートの設置構造に関する。
【０００２】
【関連技術及び課題】
例えば、住宅用戸建て建物において２階バルコニーの床面の高さ位置を屋内フロアーの高さ位置に近づけることによって、バルコニー床面と屋内フロアーとの段差を小さくし、バルコニーと屋内との間の出入りを安全に行うことができるようにしようとする場合、バルコニーの床に設置する防水シートは、開口部以外の壁の部分においても、その周囲の立ち上がりを大きくしておく必要がある。
【０００３】
このような場合に、床側からの防水シートをそのまま壁に沿ってある程度立ち上げるように施工するのはさほど難しいことではないけれども、床側からかなり高い高さ位置まで立ち上げようとすると、施工中に、防水シートの立ち上がり部に垂れ下がりを生じてしまうなど、施工を行い難くしてしまうことがある。
【０００４】
特に、防水シートを壁に沿って高く立ち上げようとする場合は、他との取り合い関係による制約をなくすため、防水シートの立ち上がり部の上側を壁の内部に配置しておくのがよいが、床側の防水シートをそのまま立ち上げ、その立ち上がり部分を壁の内部に配置するという施工は至難を極める。
【０００５】
本発明は、このような問題点に鑑み、防水シートを床側から立ち上がるように設置する場合に、その施工を容易に行うことができる防水シートの設置構造を提供することを課題とする。
【０００６】
【課題を解決するための手段】
上記の課題は、防水シートが床側から立ち上がるように設置される防水シートの設置構造において、
該防水シートが、床側の防水シートと、立ち上がり側の防水シートとに分割され、
これら防水シートがシール状態に接合されていることを特徴とする防水シートの設置構造によって解決される。
【０００７】
この構造では、防水シートが床側の防水シートと立ち上がり側の防水シートとに分割されているので、床側の防水シートを床側に設置し、立ち上がり側の防水シートを立ち上がり側に設置し、そして、これら防水シート同士を接合すればよいので、防水シートの立ち上がりを高くするような場合であっても、その施工を容易に行うことができる。
【０００８】
また、上記の課題は、防水シートが床側から壁に沿って立ち上がるように設置される防水シートの設置構造において、
該防水シートが、床側の防水シートと、壁に沿う立ち上がり側の防水シートとに分割され、
立ち上がり側の防水シートは、その上側が壁の内部に配置され、下側が壁の外に導出されて床側の防水シートとシール状態に接合されていることを特徴とする防水シートの設置構造によって解決される。
【０００９】
この設置構造では、床側から立ち上がる防水シートの立ち上がり高さを高くしても、防水シートの立ち上がり部の上側は壁内に配置されるので、防水シートの立ち上がり高さを、他との取り合い関係による制限を受けることなく、非常に高いものにすることができる。
【００１０】
しかも、防水シートは、床側の防水シートと上記のような立ち上がり側の防水シートとに分割されているから、立ち上がり側の防水シートの施工を床側の防水シートの施工とは切り離して行うことができ、それによって、立ち上がり側の防水シートの施工を容易に配置することができ、また、床側の防水シートの施工についても立ち上がり側の防水シートの施工とは切り離して行うことができ、それによって、床側の防水シートの施工も容易に配置することができる。更に、床側の防水シートと立ち上がり側の防水シートとの接合も壁の外において容易に行うことができる。
【００１１】
【発明の実施の形態】
次に、本発明の実施形態を図面に基づいて説明する。
【００１２】
図１及び図２に示す実施形態の防水シート設置構造は、戸建て住宅用建物の２階バルコニーに適用した場合のもので、１は建物の壁、２はバルコニーの床、３は屋内の２階フロアー、そして、４が防水シートである。なお、５は階間の胴差、６はバルコニー用のキャンチ梁、７，８は軽量コンクリート床版である。
【００１３】
バルコニーと屋内とを仕切る壁１には、外壁パネル９が用いられており、この外壁パネル９は、面材１０の背面側に発泡樹脂からなる断熱材１１が備えられ、その背面側にパネルフレーム１２が備えられているもので、このパネルフレーム１２を胴差５の上面部にのせて設置されている。この外壁パネル９に、バルコニーの床面２よりも所定高さ上方位置において、発泡樹脂製断熱材１１の背面側につながるスリット状の開口部１５が設けられている。
【００１４】
防水シート４は、バルコニーの床２に敷かれ、そこからこの外壁パネル９に沿うよう立ち上げられ、外壁パネル９のスリット状の開口部１５を通じて壁１の内部に入れられ、発泡断熱材１１の背面側を上方に延ばされることで、壁１に沿うかなり高い高さ位置まで立ち上げられている。なお、発泡断熱材１１の背面部にはこの防水シート４を配置する切欠き部１１ａが備えられ、この切欠き部１１ａの段１１ｂの位置に防水シート４の上端部が位置するようになされている。
【００１５】
この防水シート４は、樹脂製のシートからなり、バルコニーの床２に設置される床側の防水シート１６と、建物の壁１に沿って立ち上がる立ち上がり側の防水シート１７とに分割されている。
【００１６】
床側の防水シート１６は、バルコニーの床２側から壁１の外に沿って立ち上がる部分１６ａを備え、この部分１６ａの上端部が、立ち上がり側の防水シート１７の下端部と、壁１の外面側において重ね合わせ状態にされ、熱溶着などによってシール状態に接合１４されている。これにより、立ち上がり側の防水シート１７は、その上側が壁１の内部に配置され、その下側が壁１の外に導出されて床側の防水シート１６とシール状態に接合１４された構造にされている。
【００１７】
この防水シートの施工は、例えば次のようにして行うことができる。即ち、図３（イ）に示すように、立ち上がり側の防水シート１７の上側を壁１内に配置し、その下側を、スリット状開口部１５を通じて、壁１の外に導出させた状態に設置しておく。この立ち上がり側の防水シート１７は、現場において、外壁パネル９の建方を終えた後に、そのスリット状開口部１５を通じて差し込んで施工するようにしてもよいし、あるいは、予め工場などにおいて外壁パネル９にそのような設置状態に組み付けておくようにしてもよい。
【００１８】
そして、立ち上がり側防水シート１７の設置と相前後して、図３（ロ）に示すように、床側の防水シート１６をバルコニーの床２に敷き、その周縁立ち上がり部１６ａの上端部を、立ち上がり側防水シート１７の下端部に外側から重ね、図４（ハ）に示すように、床側の防水シート１６と立ち上がり側の防水シート１７とを熱溶着などによってシール状態に接合１４する。こうして防水シート４は立ち上がり高さ高く設置される。最後に、図４（ニ）に示すように、外から目隠しカバー１８をする。１９は、カバー１８を取り付けるためのベースで、予め外壁パネル９に備えられているものである。
【００１９】
このように、上記の構造によれば、防水シート４が床側の防水シート１６と立ち上がり側の防水シート１７とに分割されているので、床側の防水シート１６を床側に設置し、立ち上がり側の防水シート１７を立ち上がり側に設置し、そして、これら防水シート１６、１７同士を接合すればよいので、防水シート４の立ち上がりを上記のように高くする場合に、その施工を容易に行うことができる。
【００２０】
特に、本実施形態では、防水シート４の立ち上がりを高くする場合において、他との取り合い関係による制約を受けないようにするために防水シート４の立ち上がり部の上側を壁１内に配置する構成としているなかで、防水シート４を床側の防水シート１６と立ち上がり側の防水シート１７とに分割し、立ち上がり側の防水シート１７を壁の外に導出し、壁１の外面部で床側の防水シート１６と接合する構成としているので、立ち上がり側の防水シート１７の施工を床側の防水シート１６の施工とは切り離して、立ち上がり側の防水シート１７の上側を壁１内に容易に配置することができ、また、床側の防水シート１６の施工も立ち上がり側の防水シート１７の施工と切り離して容易に行うことができ、更に、床側の防水シートと立ち上がり側の防水シート１７との接合も壁の外側で容易に行うことができ、こうして、防水シート４の施工を容易に行うことができる。
【００２１】
図５は、バルコニーの腰壁２０の側の構造を示しており、この腰壁２０における防水シート４の立ち上がりについても、上記と同様の設置構造が採用され、防水シート４の立ち上がりを高くするよう施工されている。
【００２２】
以上に、本発明の実施形態を示したが、本発明はこれに限られるものではなく、発明思想を逸脱しない範囲で、各種の変更が可能である。例えば、上記の実施形態では、バルコニーに適用した場合を示しているが、テラスでもよいし、本発明は、要は、防水シートの設置を必要とする各所に適用することができるものである。
【００２３】
また、上記の実施形態では、立ち上がり側の防水シート１７の上側を壁の内部に配置した場合の構造を示しているが、立ち上がり側の防水シートの上側を壁の外に配置する場合の構造として構成することもできる。
【００２４】
また、上記実施形態では、防水シートとして樹脂製のシートを用いた場合を示しているが、材質に制限はなく、金属シートや、金属と樹脂の複合シートであってもよいし、床側の防水シートと立ち上がり側の防水シートとでその材質を異ならせるようにしてもよい。
【００２５】
また、床側の防水シートと立ち上がり側の防水シートとの接合は熱溶着以外の方法で行われていてもよく、要は、両シートをシール状態に接合することができる接合方法で接合されたものであればよい。
【００２６】
更に、上記の実施形態では、両防水シート１６，１７が壁１の側面部において接合されている場合を示しているが、床２の側で接合されていてもよいし、壁１と床２の境界部で接合されていてもよい。なお、接合は、壁１の側か床２の側で行うほうが、これらの境界部で行うより容易であり、この境界部を避けて行うようにするのが好ましいのはいうまでもない。
【００２７】
【発明の効果】
本発明は、以上のとおりのものであるから、防水シートを床側から立ち上げて設置する場合に、その施工を容易に行うことができる。
【図面の簡単な説明】
【図１】実施形態のバルコニーの外壁側における防水シート設置構造の要部を拡大して示す切断面図である。
【図２】同構造を周囲部分も含めて示す切断面図である。
【図３】図（イ）（ロ）は、図４（ハ）（ニ）とともに防水シートの施工方法を順次に示す斜視図である。
【図４】図（ハ）（ニ）は、図３（イ）（ロ）とともに防水シートの施工方法を順次に示す斜視図である。
【図５】バルコニーの腰壁側における防水シート設置構造を示す切断面図である。
【符号の説明】
１…壁
２…バルコニーの床（床）
４…防水シート
１４…接合部
１６…床側の防水シート
１７…立ち上がり側の防水シート
【図１】
0004215989.tif 000002
【図２】
0004215989.tif 000003
【図３】
0004215989.tif 000004
【図４】
0004215989.tif 000005
【図５】
0004215989.tif 000006